(57)【特許請求の範囲】
【請求項１】
内部にカメラを収容するハウジングを構造物に支持・結合してなり、ハウジングの前面部に、内部に収容されるカメラの視認用の開口を備えた前方パネルを有して構成される監視用カメラであって、
ハウジングを壁、ポール、或は天井等の構造物に支持・結合するためのマウントと、
カメラをハウジングの内部に取り付けて、該ハウジングの前方パネルにおける開口を通して、ハウジング外部の異なる方向の領域にカメラの照準を設定することによって、ハウジングの内部で該カメラの前方パネルの開口に対する位置調節を可能とする調節自在カメラ支持体と、
前方パネルの開口におけるハウジング内側に配設され、相互に結合される後方ホルダと前方ホルダの間に透明パネルを挾むように構成され、前方ホルダには前方ウィンドウが開口され、後方ホルダには後方ウィンドウが開口され、各ウィンドウ間に配設される透明パネルをハウジング内に収容するカメラの視認用の透明ウィンドウとして構成し、周部に切欠又は通路を複数備えてなる調節自在パネルアッセンブリと、
前記パネルアッセンブリをハウジングの内側において、前方パネルとの間で締結する状態で固定可能とする係止手段を備え、前記パネルアッセンブリの周部に備えられる切欠又は通路の部分を非締結状態にある前記係止手段に対し位置調整し、前記透明ウィンドウを構成する透明パネルを、カメラの前記照準定めに相応した状態で、前方パネルの開口に対して異なる状態に配置・位置決め可能とし、該配置・位置決め状態で係止手段を締結可能とする後方支持体と、
を備えることとしてなる監視用カメラ。
【請求項２】
前記後方支持体の係止手段が、ネジ、ロック、ナット、或は、それらの任意の組み合わせである請求項１に記載の監視用カメラ。
【請求項３】
調節自在パネルアッセンブリの前記後方ホルダ及び前記前方ホルダが、ネジ、溶接、或は、リベット打ちの何れかによって相互に結合される請求項１に記載の監視用カメラ。
【発明の詳細な説明】
【０００１】
【発明の属する技術分野】
本発明はカメラをハウジング内に収容し、監視領域をハウジング前面部に備えられる視認用の開口から撮影可能とする監視用カメラに関する。
【０００２】
【従来の技術】
監視用カメラは、一般に、壁、ポール、天井、或は、他の固定ベース（基盤）位置にカメラ・マウントとして既知の伸張されたアームを用いて取り付けられている。伸張されたアーム或はカメラ・マウントは、カメラのレンズをその意図された監視目標へ向けるために、カメラの水平方向軸及び垂直方向軸の位置付けを許容する旋回ジョイント又はスイベル・ジョントを含む。多くの場合、テレビカメラはハウジングに覆われ、その結果としてカメラ・アッセンブリ全体が大きくなって重くなり、耐破壊性環境等に対して著しく重い取り付けアクセサリを必要とする。更には、旋回ジョイントを伴う通常のマウントは容易に乱用されたり壊されたりするので、マウント及び旋回ジョイントに取り付けられたテレビカメラは、刑務所内部での独立懸架用、特に事実上暴力的である拘留独房で使用され得るテレビカメラに利用することは不可能である。よって、拘留独房の監視用に使用されるカメラは、通常、分厚いスチール構造である耐破壊性ハウジング内部に取り付けられる。そうしたカメラ・ハウジングは壁或は天井に固定的にボルト付けされて、カメラの水平軸及び垂直軸の位置決めがそのハウジング内部に制限されて、特に前方パネルの可視面積サイズによってカメラ位置決めが限定されている。
【０００３】
独房内から小さな独房の内部を監視することは、魚眼レンズとして知られる著しく広角なレンズを必要とする。著しく広角なレンズを利用するカメラは、レンズの視界を遮らないように非常に幅広な前方パネルを必要とするが、より幅広いパネルは外部より容易に乱用及び破壊され得るので、耐破壊性ハウジングにとっては前方パネルのサイズを最小化することが必要となる。これは、次いで、ハウジング内のカメラ位置決めの調節を制限するものであり、特にカメラに著しく広角なレンズが装填された場合にはいっそう制限するものである。
【０００４】
【発明が解決しようとする課題】
本発明の目的は、ハウジングの前面部に、内部に収容されるカメラの視認用の開口を備えた前方パネルを有する監視カメラにおいて、ハウジング内に収容されるカメラが異なるシーン又は場面を監視するために、カメラの水平方向軸線及び垂直方向軸線のより広範な再位置決めを許容するため、前方パネルの開口におけるハウジング内側に配設される透明パネルを、位置調整可能とする監視カメラを提供することを目的とする。
【０００５】
【課題を解決するための手段】
よって、本発明に従えば、内部にカメラを収容するハウジングを構造物に支持・結合してなり、ハウジングの前面部に、内部に収容されるカメラの視認用の開口を備えた前方パネルを有して構成される監視用カメラであって、ハウジングを壁、ポール、或は天井等の構造物に支持・結合するためのマウントと、カメラをハウジングの内部に取り付けて、該ハウジングの前方パネルにおける開口を通して、ハウジング外部の異なる方向の領域にカメラの照準を設定することによって、ハウジングの内部で該カメラの前方パネルの開口に対する位置調節を可能とする調節自在カメラ支持体と、前方パネルの開口におけるハウジング内側に配設され、相互に結合される後方ホルダと前方ホルダの間に透明パネルを挾むように構成され、前方ホルダには前方ウィンドウが開口され、後方ホルダには後方ウィンドウが開口され、各ウィンドウ間に配設される透明パネルをハウジング内に収容するカメラの視認用の透明ウィンドウとして構成し、周部に切欠又は通路を複数備えてなる調節自在パネルアッセンブリと、前記パネルアッセンブリをハウジングの内側において、前方パネルとの間で締結する状態で固定可能とする係止手段を備え、前記パネルアッセンブリの周部に備えられる切欠又は通路の部分を非締結状態にある前記係止手段に対し位置調整し、前記透明ウィンドウを構成する透明パネルを、カメラの前記照準定めに相応した状態で、前方パネルの開口に対して異なる状態に配置・位置決め可能とし、該配置・位置決め状態で係止手段を締結可能とする後方支持体と、を備えることとしてなる監視用カメラとしたものである。
【０００６】
本発明の以上の目的及び特徴並びに他の目的及び特徴は、添付図面を参照しての本発明の好適実施例の以下の説明から明らかとなるであろう。
【０００７】
【発明を実施する形態】
図１において、壁に対してそれぞれボルト付けされた２つの（Ａ）並びに（Ｃ）に示す耐破壊性ハウジングを備えた監視用カメラが示されており、その内の（Ａ）は壁鉛直方向対して直交している監視用カメラ１００を示しており、（Ｃ）は壁鉛直方向に対して平行してボルト付けされている監視用カメラ２００を示している。また、図１の（Ｂ）は天井にボルト付けされている監視用カメラ３００を示している。監視用カメラ１００において、透明パネル２Ｒの前方パネル１における開口２３の領域を右上方コーナに向けて小さく調節されており、監視用カメラ２００においては、前方パネル１における開口２３に占める前方パネル１の内側に配設される透明パネル２Ｃの領域を中心部に向けて小さな面積に調節されており、そして、監視用カメラ３００においては、前方パネル１の開口２３に占める透明パネル２Ｌの領域を左下方コーナに向けて小さな面積に調節されている。図５に示されている調節自在パネルアッセンブリ２０のウィンドウ２２のサイズは、図７に示されるような、レンズ６の画角αと、レンズ焦点７と調節自在パネルアッセンブリ２０のウィンドウ２１及び２２との間の距離Ｘとに相応又は対応している。
【０００８】
欧州ＰＡＬのＮＴＳＣ標準等の全てのテレビジョン・システムは、図８に示されるように、水平方向長Ｈが４である一方、垂直方向高Ｖが３であるアスペクト比４：３を有するフレーム・サイズを利用している。レンズは半径Ｒの円形の視野Ｌを提供するので、該レンズの円形視野のサイズはその円形視野Ｌの直径と同等なフレームＦの対角線値Ｄによって測定されなければならない。対角線値は、公知の公式数１又は数２によって計算される。従って、４の水平方向長Ｈと、３の垂直方向高Ｖと、５の対角線長Ｄとのサイズ比は標準テレビジョン・アスペクト比の周知値であり、これらの値は、調節自在パネルアッセンブリ２０の後方及び前方のウィンドウ２１及び２２のサイズや、監視用カメラ１００，２００，３００の各前方パネル１における開口２３のサイズを計算するために使用される。
【数１】
0004378545.tif 000002
【数２】
0004378545.tif 000003
【０００９】
それ故に、レンズの画角αやレンズ焦点７及び前方ウィンドウ２２間の距離Ｘに応じて、ウィンドウ２１及び２２のサイズを計算することが簡単となる。例えば、図７に示されるレンズは９０°の画角を有して、５０ｍｍの距離Ｘであるその焦点７に取り付けられている。従って、レンズの円形視野の半径Ｒの長さは５０ｍｍ（ｔａｎ４５°＝１又はＲ／Ｘ＝１）であり、それ故に対角線値は１００ｍｍであり、水平方向長Ｈは８０ｍｍ（４／５×１００）であり、そして垂直方向高Ｖが６０ｍｍ（３／５×１００）である。もし異なるアスペクト比、例えばアスペクト比１６：９の高品位テレビジョンが用いられれば、ウィンドウサイズはテレビカメラ１１に利用されたテレビジョン・システムのアスペクト比に従って計算されなければならない。
【００１０】
次に、実施形態に係る監視用カメラの詳細を説明する。各監視用カメラ１００，２００，３００のうち、カメラ１００は壁直交型マウント４０（マウント）により構造物としての壁面に支持・結合され、またカメラ２００は壁平行型マウント６０（マウント）により壁面に支持・結合され、さらにカメラ３００は天井マウント５０（マウント）により天井部に支持・固定される。そして壁直交型マウント４０にはハウジング４１が、壁平行型マウント６０にはハウジング６１が、天井マウント５０にはハウジング５１がそれぞれ取り付けられ、各ハウジング４１，５１，６１の前面部には、ハウジング４１，５１，６１の内部に収容されるカメラ１１のレンズ６の視認用の長方形からなる開口２３を備えた前方パネル２１が取り付けられてなる（図１参照）。
【００１１】
図１ないし図４においては、各監視カメラ１００，２００，３００がそれぞれ前方パネル２１並びに各ハウジング４１，５１，６１を取外した状態での収容されるカメラ１１の対応するマウント４０，５０，６０への支持状態が示される。
【００１２】
図４に示す監視用カメラ２００において、レンズ６を前面位置に備えるカメラ１１は、２つの垂直方向ロックキング・ネジ１８（図中、１つのみが示されている）から成るＶ軸線回りに、カメラ１１の垂直方向位置決めを提供する垂直方向カメラ支持体１４上に取り付けられており、それら垂直方向ロッキング・ネジ１８はその垂直方向カメラ支持体１４を水平方向カメラ支持体１２にも取り付けている。水平方向カメラ支持体１２は、支持体１２及び１４を伴うカメラ１１をＨ軸線回りに調節してロック（固定）する水平方向ロッキング・ネジ１６を用いて、マウント６０に取着されるカメラホルダ６３に取り付けられており、それによって、カメラ１１はハウジング６１内において水平方向位置及び垂直方向位置のそれぞれを独立して調節され、レンズ６の視認方向（監視カメラ指向領域）を調整可能としてなる。
【００１３】
天井マウント５０に平行して結合されるカメラホルダ５３においても、図３に示すようにそれぞれ水平方向カメラ支持体１２並びに垂直方向カメラ支持体１４が備えられ、同様のカメラ位置決めの設定がハウジング５１内で行われる。
【００１４】
図１に示す監視用カメラ１００内のカメラ位置決め設定も、基本的には同一であるが、各監視用カメラ２００及び３００のカメラホルダ５３及び６３がそれらの上側から結合される水平方向カメラ支持体１２の代わりに、壁直交型マウント４０に直交して結合されると共にその下側から水平方向カメラ支持体１２を結合するカメラホルダ４３が設けられている（図２参照）。
【００１５】
以上の説明から明らかなことは、レンズ６を伴うカメラ１１が、各監視カメラ１００，２００，３００が設置される被撮影領域の異なるシーンに照準を当て、これを監視・撮影するために、ハウジング内部や前方パネル２１の開口２３の内側において、Ｈ軸線及びＶ軸線の各軸線回りに位置決め・調節可能であることである。
【００１６】
前記垂直方向及び水平方向のカメラ支持体１２，１４（調節自在カメラ支持体）及び／或はカメラホルダ４３を用いる代わりに、カメラ１１は位置決め調節のために周知の旋回ジョイント（ユニヴァーサルジョイント）、周知の三脚台頂部、或は、他の周知のカメラ位置決め装置に取り付けることも可能である。
【００１７】
各ハウジング４１，５１，６１並びにその前部に取り付けられる前方パネルは、容易に破壊され得ない、分厚い耐破壊性を有する材質で形成される。その前方パネル１の厚みは前方パネル１のウィンドウ（開口）のサイズに依存しており、より大きな前方パネル１のウィンドウ（開口）の場合にはパネルをより厚くする必要がある。
【００１８】
図５に示され、各監視用カメラ１００，２００，３００の前方パネル１の内側に配設される調節自在パネルアッセンブリ２０は、前方ホルダ３、透明パネル２、並びに、後方ホルダ４から構成されている。前方ホルダ３は前方ウィンドウ２２を有し、後方ホルダ４は後方ウィンドウ２１を有し、これら各ホルダ３，４のウィンドウ２１，２２間に透明パネル２を挾むようにしている。これら両ウィンドウ２１，２２は使用されるレンズ６と、図７に示されるような焦点７及び前方ウィンドウ２２間の距離とに相応又は対応するサイズを有するか、或は僅かにより大きくて、カメラ位置決め中の幾分かの誤差を許容している。しかしながら、ウィンドウサイズを最小化することはパネルの強度を改善すると共に、より薄いパネルの使用を可能としている。透明パネル２は前方及び後方のホルダ３及び４間に取り付けられると共に、図５に示される４つのネジ３Ａによって係止されている。前方ホルダ３は皿頭ネジ３Ａに対する４つのテーパ状穴３Ｂを提供し、後方ホルダ４はネジ切り穴３Ｄを有して、ネジ３Ａのネジ筋と相補的である。ネジ３Ａを用いる代わりに、前方及び後方のホルダ３，４が相互に固定的に結合させられると共に透明パネル２を包囲している限り、それら前方及び後方ホルダ３，４を溶接、リベット打ち、或は、他の係止手段によって結合することが可能である。
【００１９】
図６に示されるように、調節自在パネルアッセンブリ２０は前方パネル１及び後方支持プレート５（後方支持体）の間に支持されている。４つのロッキング・ネジ１Ａ（係止手段）が後方支持プレート５を締め付けて、パネルアッセンブリ２０を然るべく位置決め固定している。
【００２０】
ロッキング・ネジ１Ａは、特殊で非標準スクリュードライバ形状を必要とする特殊な皿頭ネジ或は他のタイプの頭のネジを利用し、それによってナイフ及び他の利用可能手段の使用でロッキング・ネジをひねくり回されることを防止している。前方パネル１にはテーパ状穴１Ｂ或は他の形状の穴が設けられて、ネジ頭形状に適応しており、後方支持プレート５にはネジ切り穴１Ｄが設けられて、ロッキング・ネジ１Ａのネジ筋と相補的となっている。
【００２１】
キー１Ｋを伴うロックがネジ１Ａの代わりに使用可能であり、前方パネル１にはそのロックと適応すべく符合穴１Ｍが設けられている一方で、後方支持プレート５にはキー・ロック１Ｋのタング１Ｔと相補的な溝１Ｇが設けられており、代替的には、ネジ１Ｗが前方パネル１に固定的に結合されるか又は溶接され得て、後方支持プレートの穴１Ｐがネジ切り穴であり得ず、そして後方支持プレート５は溶接ネジ１Ｗに対して相補的なナット５Ｎを用いて前方パネル１に締め付け可能となっている。
【００２２】
図６に示される単一の後方支持プレート５に代わり、同じく図６に示されるような後方支持体５Ｓ及び５Ｔ等の幾つかのパーツを用いることも可能である。パネルアッセンブリ２０の前方ホルダ３の周部に形成される４つのロッキング・ネジ切欠１Ｃ或は後方支持プレート５の枠内に形成される４つの移動切欠５Ａは、図９に示すようにパネルアッセンブリ２０の可視パネル２Ｗを矢印に示すように前方パネル１の開口２３内を巡って移動可能とし（詳しくは前方パネル１に締結される係止手段としてのロッキングネジ１Ａに対して移動可能）、異なる状態に配置・位置決め可能とする。すなわち、ロッキング・ネジ切欠１Ｃはロッキング・ネジ１Ａに対する通路を提供し、そして同時に、その切欠サイズはパネルアッセンブリ２０が再度位置決めされ得てロックされることによって、その可視パネル２Ｗが前方パネル開口２３内の異なる領域に移る得るようになっている。同様に、ネジ切り穴３Ｄから構成される後方ホルダ４の４つのタング３Ｃと、後方支持プレート５の移動切欠５Ａとは、それらタング３Ｃを切欠５Ａ内で自由に移動させることができるように寸法付けされて、可視パネル２Ｗを、図９に示されるように、前方パネル１の開口２３内における異なる領域に自由にシフトさせてロック可能とする。この結果、図１の（Ａ）、（Ｂ）に示すように開口２３に対する透明パネル２Ｒ、２Ｌの位置調整が可能となり、カメラ１１の図７に示す視認領域に対応する必要最小限の透明パネルの領域設定が可能となる。さらに、図１の（Ｃ）に示すように透明パネル２Ｃが小さなサイズとされるパネルアッセンブリ２０を開口２３に対して位置調整する状態で領域設定することもできる。垂直方向シフトＶＸ及び水平方向シフトＨＸは、パネルアッセンブリ２０のネジ３Ａを暴露しないように寸法付けさせられている。図９に示されている可視パネル２Ｗは広角レンズ用に計算されたパネルであるが、可視パネル２Ｗのサイズは任意のサイズに変更可能であって、それが前方パネルにおける開口となり、同様に、タング３Ｃ、切欠１Ｃ及び５Ａのサイズは異なる移動や誤差を許容するように異なる寸法或は形状と為すことができる。この結果、図１の各監視用カメラ１００，２００，３００に示すように、前方パネル１の開口２３に占める透明パネル２Ｒ、２Ｌ、２Ｃの領域を調節し、透明ウィンドウの露出面積を調整し、耐破壊性を増すことができる。この露出面積の調整は、前記図７、図８に示すカメラ１１の照準定めに相応した状態でパネルアッセンブリ２０を位置調整することにより行われる。
【００２３】
そして、図６に示すような単一の後方支持プレート５に置き換わるべく使用される幾つかの支持体５Ｓ及び５Ｔにおいては、それによる後方支持体がパネルアッセンブリ２０を前方パネル１に締め付けてロック（固定）することになる。さらに前記実施形態では、パネルアッセンブリ２０の周部においてロッキング・ネジ切欠１Ｃを備えることとしているが、該切欠１Ｃに代えてロッキング・ネジ１Ａに対して大きなサイズの開口からなる通路としてもよい。
【００２４】
透明パネル２は硬化ガラス或はプラスチック材で構成され、前方ホルダ３、後方支持プレート５、前方パネル１、ハウジング４１，５１，６１、並びに、各マウント４０，５０，６０はスチール製であるが、他の任意の金属製或はプラスチック材製とすることも可能である。
【００２５】
図１の（Ａ）、（Ｂ）、（Ｃ）にそれぞれ示された監視用１００，２００，３００は、それらの幅、長さ、或は、高さと共に、それらの基本配向を下方、側方、或は、上方に変えることによって変更可能である。要するに、本発明に係る監視用カメラのハウジングにあって、最終的な形状及び寸法は、上記のように開示されたカメラのようにレンズの視野を遮ること無しに、ハウジング内でのカメラの正確な位置決めが為せるように前方パネルを変更し調節する手段を組み入れることができる監視用カメラに設計され得ることである。
【００２６】
勿論当業者であればご理解頂けるように、ここに提示された本発明の特定の実施例は例示目的のみのためであり、何等限定的な意図がなく、それ故に、特許請求の範囲で述べられた本発明の精神及び範囲から逸脱すること無しに、数多くの変更及び変形が為され得て、行き着くであろう均等物に充分に使用され得る。
【００２７】
【発明の効果】
以上のように、本発明によれば、ハウジング内に収容されるカメラが異なるシーン又は場面を監視するために水平方向軸線及び垂直方向軸線のより広範な再位置決めを許容する監視カメラを提供することができるという効果がある。
【図面の簡単な説明】
【図１】本発明の好適実施例に係る各監視用カメラを構造物としての室内の天井或いは壁面に設置した状態を示す斜視図である。
【図２】１の（Ａ）に示す監視用カメラのハウジング内に取り付けられるカメラの斜視図である。
【図３】図１の（Ｂ）に示す監視用カメラのハウジング内に取り付けられるカメラの斜視図である。
【図４】図１の（Ｃ）に示す監視用カメラのハウジング内に取り付けられるカメラの斜視図である。
【図５】調整自在パネルアッセンブリの分解状態を示す斜視図である。
【図６】前方パネルに対する後方支持体によるパネルアッセンブリの固定状態を示す斜視図である。
【図７】監視カメラのウィンドウ部分を示す断面図である。
【図８】テレビジョン・システムのアスペクト比とレンズの円形視野との関係を示す概略図である。
【図９】パネルアッセンブリの移動の詳細を示す正面図である。
【符号の説明】
１  前方パネル
１Ａ  ロッキング・ネジ
１Ｃ  ロッキング・ネジ切欠
２  透明パネル
２Ｗ  可視パネル
３  前方ホルダ
４  後方ホルダ
５  後方支持プレート
５Ａ  移動切欠
６  レンズ
１１  カメラ
１２  水平方向カメラ支持体（調節自在カメラ支持体）
１４  垂直方向カメラ支持体（調節自在カメラ支持体）
２０  調節自在パネルアッセンブリ
２１  後方ウィンドウ
２２  前方ウィンドウ
２３  開口
４０  壁直交型マウント
４３，５３，６３  カメラ・ホルダ
４１，５１，６１  ハウジング
５０  天井マウント
６０  壁平行型マウント
１００，２００，３００  監視用カメラ
【図１】
0004378545.tif 000004
【図２】
0004378545.tif 000005
【図３】
0004378545.tif 000006
【図４】
0004378545.tif 000007
【図５】
0004378545.tif 000008
【図６】
0004378545.tif 000009
【図７】
0004378545.tif 000010
【図８】
0004378545.tif 000011
【図９】
0004378545.tif 000012